(57)【要約】【課題】  建物ユニットの柱脚を、簡易な構成により、正しい位置に支持すること。【解決手段】  建物ユニット１０の柱脚１１Ａを、基礎１に固定した支持部材２０に支持するユニット建物において、支持部材２０を埋込部材２０Ａと接続部材２０Ｂに分割し、基礎１に埋込まれる埋込部材２０Ａに接続部材２０Ｂを接続し、接続部材２０Ｂに建物ユニットの柱脚１１Ａを支持するもの。【選択図】  図２
2006037541.tif 000002
【特許請求の範囲】
【請求項１】
建物ユニットの柱脚を、基礎に固定した支持部材に支持するユニット建物において、
支持部材を埋込部材と接続部材に分割し、基礎に埋込まれる埋込部材に接続部材を接続
し、接続部材に建物ユニットの柱脚を支持することを特徴とするユニット建物。
【請求項２】
前記埋込部材にレベル調整部材を設け、レベル調整部材の上に接続部材を載置してなる
請求項１に記載のユニット建物。
【請求項３】
前記埋込部材と接続部材の一方に螺着したボルトに、他方に設けたボルト挿通孔を挿通
して該他方を締結するに際し、ボルト挿通孔に孔クリアランスを設け、
前記建物ユニットと接続部材の一方に螺着したボルトに、他方に設けたボルト挿通孔を
挿通して該他方を締結するに際し、ボルト挿通孔に孔クリアランスを設けてなる請求項１
又は２に記載のユニット建物。
【請求項４】
前記建物ユニットが床梁を柱脚にピン接合してなる請求項１〜３のいずれかに記載のユ
ニット建物。
【請求項５】
請求項１〜４のいずれかに記載のユニット建物における柱脚の接合方法であって、
基礎に埋込まれた埋込部材に対し高さ及び水平度並びに水平位置を調整して接続部材を
接続し、接続部材に対し水平位置を調整して建物ユニットの柱脚を支持する柱脚の支持方
法。
【発明の詳細な説明】
【技術分野】
【０００１】
本発明はユニット建物及び柱脚の支持方法に関する。
【背景技術】
【０００２】
建物ユニットにおいて、特許文献１に記載の如く、建物ユニットの柱脚を、基礎に固定
した支持部材に支持するものがある。従来技術では、コンクリート基礎に掘った穴に支持
部材を鉄筋コンクリート打ちし、この支持部材の上に建物ユニットの柱脚をボルト接合す
る。
【特許文献１】特許1597408
【発明の開示】
【発明が解決しようとする課題】
【０００３】
従来技術には以下の問題点がある。
(1)コンクリート基礎に、支持部材のための穴を掘っておく必要があり、雨天等に水が
溜まる不都合がある。
【０００４】
(2)支持部材の鉄筋コンクリート打ち時に、支持部材が定位置からずれ動く等により、
支持部材の柱脚支持面の高さ、水平度、水平位置の精度を出しづらく、建物ユニットの柱
脚をボルト接合することが困難、或いは据付精度不良を生ずるおそれがある。
【０００５】
本発明の課題は、建物ユニットの柱脚を、簡易な構成により、正しい位置に支持するこ
とにある。
【課題を解決するための手段】
【０００６】
請求項１の発明は、建物ユニットの柱脚を、基礎に固定した支持部材に支持するユニッ
ト建物において、支持部材を埋込部材と接続部材に分割し、基礎に埋込まれる埋込部材に
接続部材を接続し、接続部材に建物ユニットの柱脚を支持するようにしたものである。
【０００７】
請求項２の発明は、請求項１の発明において更に、前記埋込部材にレベル調整部材を設
け、レベル調整部材の上に接続部材を載置してなるようにしたものである。
【０００８】
請求項３の発明は、請求項１又は２の発明において更に、前記埋込部材と接続部材の一
方に螺着したボルトに、他方に設けたボルト挿通孔を挿通して該他方を締結するに際し、
ボルト挿通孔に孔クリアランスを設け、前記建物ユニットと接続部材の一方に螺着したボ
ルトに、他方に設けたボルト挿通孔を挿通して該他方を締結するに際し、ボルト挿通孔に
孔クリアランスを設けてなるようにしたものである。
【０００９】
請求項４の発明は、請求項１〜３のいずれかの発明において更に、前記建物ユニットが
床梁を柱脚にピン接合してなるようにしたものである。
【００１０】
請求項５の発明は、請求項１〜４のいずれかに記載のユニット建物における柱脚の接合
方法であって、基礎に埋込まれた埋込部材に対し高さ及び水平度並びに水平位置を調整し
て接続部材を接続し、接続部材に対し水平位置を調整して建物ユニットの柱脚を支持する
ようにしたものである。
【発明の効果】
【００１１】
（請求項１、５）
(a)支持部材を埋込部材と接続部材に分割したから、コンクリート基礎の打設時に、埋
込部材を同時施工でき、コンクリート基礎に支持部材のための穴を掘っておく必要がない
。
【００１２】
(b)基礎に埋込まれた埋込部材に接続部材を接続し、接続部材に建物ユニットの柱脚を
支持することにより、接続部材の柱脚支持面の高さ、水平度、水平位置の精度を容易に出
し、建物ユニットの柱脚を容易にボルト接合できるし、建物ユニットの据付精度を良好に
できる。
【００１３】
（請求項２）
(c)埋込部材にレベル調整部材を設け、レベル調整部材の上に接続部材を載置するよう
にしたから、接続部材の柱脚支持面の高さ、水平度を容易に調整できる。
【００１４】
（請求項３）
(d)埋込部材と接続部材のボルト接合部、及び建物ユニットの柱脚と接続部材のボルト
接合部のそれぞれにおいて、ボルト挿通孔に孔クリアランスを設けるようにしたから、接
続部材の柱脚支持面の水平位置を容易に調整できる。
【００１５】
（請求項４）
(e)建物ユニットの床梁を柱脚にピン接合することにより、建物ユニットの床梁に水平
力を負担させることがなくなって骨組の簡素を図ることができ、かつ床梁の接合を容易に
しながら、前述(b)により建物ユニットの据付精度を良好にできる。
【発明を実施するための最良の形態】
【００１６】
図１は建物ユニットを示す正面図、図２は柱脚の支持構造を示す断面図、図３は埋込部
材を示す斜視図、図４はレベル調整部材を示す断面図、図５はボルトを示す正面図、図６
は接続部材を示し、（Ａ）は正面図、（Ｂ）は平面図、（Ｃ）は断面図、図７は埋込部材
へのレベル調整部材の取付状態を示す斜視図、図８は埋込部材への接続部材の取付状態を
示す斜視図、図９は支持部材の全体組付状態を示す正面図である。
【実施例】
【００１７】
ユニット建物は、複数の工場生産された建物ユニット１０を、建築現場に設けてある基
礎１の上で互いに水平方向に隣接するように、基礎１の上に据付けて構築される。
【００１８】
建物ユニット１０は、図１に示す如く、４本の角鋼管製柱１１の柱脚１１Ａに形鋼製床
梁１２を架け渡すように接合し、柱１１の柱頭に形鋼製天井梁１３を架け渡すように接合
した、直方体状の骨組構造体からなる。本実施例では、床梁１２を柱脚１１Ａにピン接合
している。
【００１９】
建物ユニット１０の基礎支持構造にあっては、図１、図２に示す如く、コンクリート基
礎１に固定した支持部材２０に柱脚１１Ａを支持するに際し、支持部材２０を埋込部材２
０Ａと接続部材２０Ｂに分割する。そして、基礎１に埋込まれる埋込部材２０Ａに接続部
材２０Ｂを接続し、接続部材２０Ｂに柱脚１１Ａを支持する。
【００２０】
埋込部材２０Ａは、図２、図３に示す如く、４本の接合ロッド２１をカバー板２２によ
り全体角形状になるように溶接等して組立て、各接合ロッド２１の下端側に２枚のダイヤ
フラム２３を溶接し、各ダイヤフラム２３にアンカー鉄筋２４の基端部を溶接し、各接合
ロッド２１の上端側の外周におねじ部２１Ａを、各接合ロッド２１の上端面にめねじ部２
１Ｂを螺設している。埋込部材２０Ａは、基礎１の鉄筋コンクリート打ち時に、ダイヤフ
ラム２３とアンカー鉄筋２４を同時に該基礎１にコンクリート打ちされる。
【００２１】
埋込部材２０Ａの各接合ロッド２１のおねじ部２１Ａにはレベル調整部材２５が被着さ
れ、めねじ部２１Ｂには高力ボルト２６が螺着される。レベル調整部材２５は、図４に示
す如く、短円筒状をなし、接合ロッド２１のおねじ部２１Ａに螺着されるめねじ部２５Ａ
と、中心孔２５Ｂを備える。高力ボルト２６は、図５に示す如く、両端におねじ部２６Ａ
、２６Ｂを備え、接合ロッド２１に被着されたレベル調整部材２５の中心孔２５Ｂにおね
じ部２６Ａを通し、このおねじ部２６Ａを接合ロッド２１のめねじ部２１Ｂに螺着し、お
ねじ部２６Ｂをレベル調整部材２５の天面から上方に突出させる。
【００２２】
接続部材２０Ｂは、図２、図６に示す如く、十字状接合板３１の周囲にカバー板３２を
溶接することにて全体角形状に組立て、十字状接合板３１の下端部に下接続板３３を、十
字状接合板３１の上端部に上接続板３４を溶接し、上接続板３４の上面にはトッププレー
ト３５（柱脚支持面）を溶接している。カバー板３２は高力ボルト２６、３６のためのボ
ルト操作窓３２Ａを切欠形成される。下接続板３３と上接続板３４はボルト挿通孔３３Ａ
、３４Ａを備える。
【００２３】
接続部材２０Ｂの下接続板３３は、埋込部材２０Ａの接合ロッド２１に被着されたレベ
ル調整部材２５の天面の上に載置される。このとき、下接続板３３のボルト挿通孔３３Ａ
は、接合ロッド２１に螺着されてレベル調整部材２５の天面より上方に突出している高力
ボルト２６のおねじ部２６Ｂに挿通される。ボルト挿通孔３３Ａは高力ボルト２６に対し
て直径方向に遊びをなす孔クリアランスを設ける。高力ボルト２６のおねじ部２６Ｂは、
下接続板３３よりも上方に突出し、この突出部にナット及び座金２７が螺着され、下接続
板３３をレベル調整部材２５の天面に締結する。
【００２４】
接続部材２０Ｂの上接続板３４の上面のトッププレート３５には、建物ユニット１０の
柱脚１１Ａに溶接した４個の取付金具１１Ｂの下端面が載置される。このとき、各取付金
具１１Ｂには高力ボルト３６の一端おねじ部３６Ａが螺着される。各取付金具１１Ｂを接
続部材２０Ｂの上接続板３４に載置したとき、各取付金具１１Ｂに螺着されている高力ボ
ルト３６が備える他端おねじ部３６Ｂは上接続板３４とトッププレート３５のボルト挿通
孔３４Ａ、３５Ａを通って上接続板３４の下方に突出し、この突出部にナット及び座金３
７が螺着され、柱脚１１Ａを上接続板３４及びトッププレート３５に締結する。ボルト挿
通孔３４Ａ、３５Ａは高力ボルト３６に対して直径方向に遊びをなす孔クリアランスを設
ける。
【００２５】
従って、基礎１に対する柱脚１１Ａの支持手順は以下の如くになる。
(1)支持部材２０の埋込部材２０Ａに設けたダイヤフラム２３とアンカー鉄筋２４を、
基礎１のコンクリート打ちと同時に打設する。
【００２６】
(2)埋込部材２０Ａの各接合ロッド２１のおねじ部２１Ａにレベル調整部材２５のめね
じ部２５Ａを螺着する（図７）。
【００２７】
(3)接続部材２０Ｂの下接続板３３を上述(2)の埋込部材２０Ａの各レベル調整部材２５
の天面に載置する（図８）。高力ボルト２６のおねじ部２６Ａを各レベル調整部材２５の
中心孔２５Ｂに通し、このおねじ部２６Ａを各接合ロッド２１のめねじ部２１Ｂに螺着す
る。各レベル調整部材２５の螺着量の調整により、それらレベル調整部材２５の天面の高
さを調整し、接続部材２０Ｂの水平度を調整する。同時に、下接続板３３のボルト挿通孔
３３Ａが高力ボルト２６に対する孔クリアランスの範囲で、接続部材２０Ｂの下接続板３
３を各レベル調整部材２５の天面に沿って横移動し、接続部材２０Ｂの水平位置を調整し
た後、高力ボルト２６のおねじ部２６Ｂにナット及び座金２７を締結し、下接続板３３を
埋込部材２０Ａの各接合ロッド２１に剛接合する（図９）。
【００２８】
(4)基礎１の柱脚１１Ａの各取付金具１１Ｂに高力ボルト３６のおねじ部３６Ａを螺着
し、各取付金具１１Ｂの下端面を接続部材２０Ｂの上接続板３４、トッププレート３５に
載置する。高力ボルト３６のおねじ部３６Ｂを上接続板３４、トッププレート３５のボル
ト挿通孔３４Ａ、３５Ａに通し、上接続板３４、トッププレート３５のボルト挿通孔３４
Ａ、３５Ａが高力ボルト３６に対する孔クリアランスの範囲で、柱脚１１Ａの各取付金具
１１Ｂをトッププレート３５に沿って移動し、柱脚１１Ａの水平位置を調整した後、高力
ボルト３６のおねじ部３６Ｂにナット及び座金２７を締結し、柱脚１１Ａを接続部材２０
Ｂの上接続板３４、トッププレート３５に剛接合する（図２）。
【００２９】
本実施例によれば以下の作用効果を奏する。
(a)支持部材２０を埋込部材２０Ａと接続部材２０Ｂに分割したから、コンクリート基
礎１の打設時に、埋込部材２０Ａを同時施工でき、コンクリート基礎１に支持部材２０の
ための穴を掘っておく必要がない。
【００３０】
(b)基礎１に埋込まれた埋込部材２０Ａに接続部材２０Ｂを接続し、接続部材２０Ｂに
建物ユニット１０の柱脚１１Ａを支持することにより、接続部材２０Ｂの柱脚支持面（ト
ッププレート３５）の高さ、水平度、水平位置の精度を容易に出し、建物ユニット１０の
柱脚１１Ａを容易にボルト接合できるし、建物ユニット１０の据付精度を良好にできる。
【００３１】
(c)埋込部材２０Ａにレベル調整部材２５を設け、レベル調整部材２５の上に接続部材
２０Ｂを載置するようにしたから、接続部材２０Ｂの柱脚支持面（トッププレート３５）
の高さ、水平度を容易に調整できる。
【００３２】
(d)埋込部材２０Ａと接続部材２０Ｂのボルト接合部、及び建物ユニット１０の柱脚１
１Ａと接続部材２０Ｂのボルト接合部のそれぞれにおいて、ボルト挿通孔３３Ａ、３４Ａ
に孔クリアランスを設けるようにしたから、接続部材２０Ｂの柱脚支持面（トッププレー
ト３５）の水平位置を容易に調整できる。
【００３３】
(e)建物ユニット１０の床梁１２を柱脚１１Ａにピン接合することにより、建物ユニッ
ト１０の床梁１２に水平力を負担させることがなくなって骨組の簡素を図ることができ、
かつ床梁１２の接合を容易にしながら、前述(b)により建物ユニット１０の据付精度を良
好にできる。
【００３４】
以上、本発明の実施例を図面により記述したが、本発明の具体的な構成はこの実施例に
限られるものではなく、本発明の要旨を逸脱しない範囲の設計の変更等があっても本発明
に含まれる。
【図面の簡単な説明】
【００３５】
【図１】図１は建物ユニットを示す正面図である。
【図２】図２は柱脚の支持構造を示す断面図である。
【図３】図３は埋込部材を示す斜視図である。
【図４】図４はレベル調整部材を示す断面図である。
【図５】図５はボルトを示す正面図である。
【図６】図６は接続部材を示し、（Ａ）は正面図、（Ｂ）は平面図、（Ｃ）は断面図である。
【図７】図７は埋込部材へのレベル調整部材の取付状態を示す斜視図である。
【図８】図８は埋込部材への接続部材の取付状態を示す斜視図である。
【図９】図９は支持部材の全体組付状態を示す正面図である。
【符号の説明】
【００３６】
１  基礎
１０  建物ユニット
１１  柱
１１Ａ  柱脚
１２  床梁
２０  支持部材
２０Ａ  埋込部材
２０Ｂ  接続部材
２５  レベル調整部材
２６、３６  高力ボルト
３３Ａ、３４Ａ  ボルト挿通孔
【図１】
2006037541.tif 000003
【図２】
2006037541.tif 000004
【図３】
2006037541.tif 000005
【図４】
2006037541.tif 000006
【図５】
2006037541.tif 000007
【図６】
2006037541.tif 000008
【図７】
2006037541.tif 000009
【図８】
2006037541.tif 000010
【図９】
2006037541.tif 000011